(57)【要約】【課題】紙葉類の搬送通路をパチンコ台等の遊技機の配列状況に応じて容易に湾曲可能とするとともに、施設が容易な紙葉類搬送装置を提供する。【解決手段】搬送チェーン５を案内する直線状のレール部１２，１３を有するフレーム部１１と、レール部１２，１３に沿ってフレーム部１１に装着される側板部１７，１８と、レール部１２，１３に案内される搬送チェーン５に備えられ側板部１７，１８との間に紙葉類を挟持して搬送する搬送部材３５と、を備えた紙葉類搬送装置１において、フレーム部１１はレール部１２，１３に沿って短形に形成され、レール部１２，１３の幅方向中心上にその両端から突出する連結部２５〜２８を有し、連結部２５〜２８により複数のフレーム部１１をレール部１２，１３の幅方向に揺動自在に連結する。【選択図】      図２
2013043722.tif 000002
【特許請求の範囲】
【請求項１】
搬送チェーンを案内する直線状のレール部を有するフレーム部と、前記レール部に沿って前記フレーム部に装着される側板部と、前記レール部に案内される前記搬送チェーンに備えられ前記側板部との間に紙葉類を挟持して搬送する搬送部材と、を備えた紙葉類搬送装置において、前記フレーム部は前記レール部に沿って短形に形成され、前記レール部の幅方向中心上にその両端から突出する連結部を有し、前記連結部により複数の前記フレーム部を前記レール部の幅方向に揺動自在に連結することを特徴とする紙葉類搬送装置。
【請求項２】
前記レール部をその端部間に所定の隙間を設けて連結することにより、前記搬送チェーンが前記レール部の幅方向に湾曲可能な曲率に沿って、前記レール部を連結可能にしたことを特徴とする請求項1に記載の紙葉類搬送装置。
【請求項３】
前記レール部の両端から突出する前記連結部の連結ピッチは、前記搬送チェーンを構成するリンク部の全長より長く設定されたことを特徴とする請求項１又は請求項２に記載の紙葉類搬送装置。
【請求項４】
前記側板部は、前記フレーム部の各々に対応してその一方側、又は両側に着脱自在に設けられたことを特徴とする請求項１ないし請求項３の何れかに記載の紙葉類搬送装置。
【請求項５】
前記フレーム部は、前記レール部を上下２箇所に並列に備えることを特徴とする請求項1ないし請求項４の何れかに記載の紙葉類搬送装置。
【発明の詳細な説明】
【技術分野】
【０００１】
本発明は、遊技場等において複数並設されたパチンコ台等の遊技機の背面側に配置され、遊技機に隣接するパチンコ玉等の遊技媒体貸出機に投入された紙葉類（紙幣）をその遊技機列の一側端に設けられた両替機等の紙葉類収納部へ搬送する紙葉類搬送装置に関し、特にその紙葉類の搬送経路を湾曲可能に構成する紙葉類搬送装置に関する。
【背景技術】
【０００２】
このような紙葉類搬送装置としては、本出願人が出願し、公開された特開２００６-９６４４０号公報（特許文献1）に記載されたもの、及び特開２００７−１３７６８２号公報（特許文献２）に記載されたものが知られている。ここで、特許文献１に記載のものは、紙葉類を搬送する搬送チェーンの搬送路となる直線状の２つの搬送レールを曲線状に連結するレール連結ユニットであって、その搬送路を横断するように配置され、一端側に複数の支点軸を有するベースプレートと、このベースプレートの両側に配置され、一端側にその支点軸に嵌合する回動軸を有し、その回動軸を中心に回動してベースプレートから接離可能に動作する複数の回動プレートと、ベースプレートの他方端側に固定され、回動プレートの回動にともなってその他端側をガイドするガイド部を有する固定ベースと、を備え、その複数の回動プレートを回動させることにより、これらが扇状に連続的に変形し、搬送チェーンを案内する直線状の２つの搬送レールの搬送路を接続する曲線状の搬送路を形成するものである。そして、これによればベースプレートに対してその両側の回動プレートを回動させるという簡易な操作により、２つの搬送レールを接続する搬送路の湾曲状態を容易に調整し、紙葉類の搬送経路を適宜に湾曲することができるというものである。
【０００３】
また、特許文献２には、前後面が開口した短型の箱状であって、その中央部に紙幣搬送路が形成された搬送方向調整体を、その前後に設けられた接続手段を介して複数連結することにより、円弧状、Ｓ字状、その他任意の形状に紙幣搬送経路を形成可能な貨幣搬送装置が記載されている。そして、これによれば、遊技場等において複数のパチンコ台等の遊技機が曲線状に配置される場合にも、その背面側に沿って紙幣搬送通路を形成することができる紙幣搬送装置を構成することができるというものである。
【先行技術文献】
【特許文献】
【０００４】
【特許文献１】特開２００６−９６４４０号公報
【特許文献２】特開２００７−１３７６８２号公報
【発明の概要】
【発明が解決しようとする課題】
【０００５】
ところで、特許文献１に記載のレール連結ユニットにおいては、搬送路の一方側に突出してベースプレートの支点軸が設けられ、さらにその他方側に回動プレートの他端側をガイドする固定ベースが設けられるから、レール連結ユニットの幅が搬送レールの幅に比べて広く形成され、パチンコ台等の遊技機の背面側の狭小空間に、搬送レールと共にレール連結ユニットが配置し難い場合が生じる。また、ベースプレートの支点軸は搬送路の一方側に設けられるから、例えばレール連結ユニットの湾曲凸部の方向を変更する必要が生じた場合には、その取り付け方向を反転してその取り付けを行う必要があり、設置が繁雑となる問題があった。
【０００６】
また、特許文献２に記載の貨幣搬送装置においては、複数連結された搬送方向調整体を貫通し、その中央の紙幣搬送路の一方側に沿って、紙幣を搬送する無端状の搬送ベルトが張設されるとともに、各々の搬送方向調整体には、その中央の紙幣搬送路を挟んで無端状の搬送ベルトをガイドする案内プーリと、搬送ベルトに対向するガイドローラが並んで配置されている。このため、複数連結された搬送方向調整体により湾曲通路を形成する場合は、無端状の搬送ベルトが緩まない方向、すなわち搬送ベルトが配置される側と反対側に個々の搬送方向調整体を傾けて連結し、所定方向に湾曲した搬送通路を形成する必要がある。したがって、例えばＳ字状の搬送通路等を形成する場合には、その湾曲凸部の方向が途中で変化するから、搬送ベルトの配置側（搬送通路の一方側又は他方側）を途中で変えて複数の搬送方向調整体を組み合わせてＳ字状の搬送通路を形成する必要が生じる。そのため、搬送ベルトの駆動機構等が複雑になって装置の構造が複雑となり、その施設が繁雑となる問題があった。
【０００７】
本発明は、このような問題に対応するため、構造が簡単で、しかも紙葉類の搬送通路をパチンコ台等の遊技機の配列状況に応じて容易に湾曲可能な構造とすることにより、多様な遊技機の配列状況に対応可能で、施設が容易な紙葉類搬送装置を提供することを目的とするものである。
【課題を解決するための手段】
【０００８】
上記課題を解決するため、請求項１に係る発明は、搬送チェーンを案内する直線状のレール部を有するフレーム部と、前記レール部に沿って前記フレーム部に装着される側板部と、前記レール部に案内される前記搬送チェーンに備えられ前記側板部との間に紙葉類を挟持して搬送する搬送部材と、を備えた紙葉類搬送装置において、前記フレーム部は前記レール部に沿って短形に形成され、前記レール部の幅方向中心上にその両端から突出する連結部を有し、前記連結部により複数の前記フレーム部を前記レール部の幅方向に揺動自在に連結するものである。
【０００９】
これによれば、フレーム部を前記連結部により前記レール部の幅方向に傾けて連結し、前記レール部を自在に湾曲して施設することができる。
また、請求項２に係る発明は、請求項１に記載の紙葉類搬送装置において、前記レール部をその端部間に所定の隙間を設けて連結することにより、前記搬送チェーンが前記レール部の幅方向に湾曲可能な曲率に沿って、前記レール部を連結可能にしたものである。
これによれば、簡易な構成により前記レール部を前記搬送チェーンが湾曲可能な曲率に沿って連結することができる。
【００１０】
また、請求項３に係る発明は、請求項１又は請求項２に記載の紙葉類搬送装置において、
前記レール部の両端から突出する前記連結部の連結ピッチは、前記搬送チェーンを構成するリンク部の全長より長く設定されたものである。
これによれば、前記フレーム部を前記連結部により前記レール部の幅方向に傾けて連結する場合も、前記搬送チェーンを前記フレーム部のレール部に沿って容易に搬送することができる。
【００１１】
また、請求項４に係る発明は、請求項１ないし請求項３の何れかに記載の紙葉類搬送装置において、前記側板部は、前記フレーム部の各々に対応してその一方側、又は両側に着脱自在に設けられたものである。
これによれば、湾曲して施設される前記レール部の各々に沿って前記側板部を配置することでその湾曲に沿った紙幣搬送路を構成し、また前記側板部を着脱自在とすることでその紙幣搬送通路を開放することができる。
【００１２】
また、請求項５に係る発明は、請求項１ないし請求項４の何れかに記載の紙葉類搬送装置において、前記フレーム部は、前記レール部を上下２箇所に並列に備えるものである。
これによれば、無端状に構成される前記搬送チェーンの往動部及び復動部をそれぞれ前記フレーム部の上下のレール部に組み込んだ状態で、前記レール部を自在に湾曲して施設することができる。
【発明の効果】
【００１３】
以上説明したように請求項１に係る発明によれば、フレーム部をレール部の幅方向に傾けて連結し、レール部を自在に湾曲して施設することができるから、紙葉類の搬送路をパチンコ台等の遊技機の配列状況に応じて容易に湾曲可能な紙葉類搬送装置を提供することができる。
【００１４】
また請求項２に係る発明によれば、簡易な構成によりレール部を搬送チェーンが湾曲可能な曲率に沿って連結することができるから、紙葉類の搬送路を搬送チェーンが容易に走行可能な曲率で湾曲することができる紙葉類搬送装置を提供することができる。
また請求項３に係る発明によれば、搬送チェーンをフレーム部のレール部に沿って容易に搬送することができるから、搬送チェーンの走行不良を減少させ信頼性を向上させた紙葉類搬送装置を提供することができる。
【００１５】
また請求項４に係る発明によれば、湾曲して施設されるレール部に沿って紙幣搬送通路を幅狭に形成するとともに、その紙幣搬送通路を開放することができるから、紙幣搬送路を狭小の遊技機列の背面に沿って配置し易くするとともに、紙葉類の詰まり等を容易に解消することができる保守管理が容易な紙葉類搬送装置を提供することができる。
また請求項５に係る発明によれば、無端状に構成される搬送チェーンの往動部及び復動部をそれぞれフレーム部の上下のレール部に組み込んだ状態で、レール部を自在に湾曲して施設することができるから、紙葉類の搬送路をパチンコ台等の遊技機の配列状況に応じて施設する施工作業が容易な紙葉類搬送装置を提供することができる。
【図面の簡単な説明】
【００１６】
【図１】本発明の実施の形態の紙葉類搬送装置を適用する遊技島の構成を示す平面図である。
【図２】本発明の実施の形態の紙葉類搬送装置の紙幣搬送路の構成を示す図であって、（ａ）は要部斜視図、（ｂ）はその湾曲形状の紙幣搬送路を構成する湾曲通路ブロックを示す斜視図、（ｃ）はこの紙幣搬送路の通路断面を示す断面図である。
【図３】本発明の実施の形態の紙葉類搬送装置の湾曲通路ブロックの構造を示す図であって、（ａ）はその全体斜視図、（ｂ）はこの湾曲通路ブロックを構成するメインフレームの斜視図、（ｃ）は、湾曲通路ブロックを連結する場合の搬送レールの連結状態を示す平面図である。
【図４】本発明の実施の形態の紙葉類搬送装置の搬送チェーンを示す斜視図である。
【図５】本発明の実施の形態の紙葉類搬送装置における搬送チェーンの搬送機構を模式的に示す概略図である。
【発明を実施するための形態】
【００１７】
以下、この発明を適用する紙葉類搬送装置の実施の形態について、図面を参照して説明する。図１は、本発明の紙葉類搬送装置１を適用するものであって、遊技場において略Ｓ字状に並設された複数の遊技機（パチンコ台等）７５の間に配置される複数の遊技媒体（パチンコ玉等）貸出機７０に投入された紙幣を回収し、その遊技機７５列の一方端側に設けられた紙幣収納部（両替機等）７６へその紙幣を搬送する装置を備えたいわゆる遊技島８０の構成を示す平面図である。このように構成される遊技島８０において、遊技媒体貸出機７０の紙幣挿入口７１に挿入された紙幣は、その内部に設けられた図示しない紙幣識別機により真贋等が識別され、適正と判別されればその背面側の紙幣導入部５０に送出される。紙幣導入部５０に送出された紙幣は、遊技機７５列に沿ってその背面側に略Ｓ字状に延設された紙葉類搬送装置１の湾曲形状の紙幣搬送路３に取り込まれ、遊技機７５列の一方端側に設けられた紙幣収納部７６に向けて搬送され、収納される。
【００１８】
図２は、略Ｓ字上に配列される遊技機７５列に沿ってその背面側に延設される湾曲形状の紙幣搬送路３の構成を示す図であって、（ａ）は要部斜視図、（ｂ）はその湾曲形状の紙幣搬送路３を構成する短形の湾曲通路ブロック２１を示す斜視図、（ｃ）はこの紙幣搬送路３の通路断面を示す断面図である。図に示すように、この紙幣搬送路３の内部には、後述の搬送レール１２，１３に案内されて一方向に循環し、紙幣を紙幣収納部７６に向けて搬送する搬送部材３５を備えた無端状の搬送チェーン５が配設されている。また、この紙幣搬送路３は、複数の湾曲通路ブロック２１を連結することにより、湾曲状に形成される。
【００１９】
図３は、湾曲状の紙幣搬送路３を構成する湾曲通路ブロック２１の構造を示す図であって、（ａ）はその全体斜視図、（ｂ）はこの湾曲通路ブロック２１を構成するメインフレームの形態を示す斜視図、（ｃ）は、湾曲通路ブロック２１を連結する場合の搬送レール１２の連結状態を示す平面図である。この湾曲通路ブロック２１は、紙幣の搬送方向に沿って短形に形成されるものであって、搬送チェーン５を案内する搬送レール１２，１３を備えたメインフレーム（フレーム部）１１と、その搬送レール１２，１３に沿ってメインフレーム１１の両側に装着される側板部１７，１８と、メインフレーム１１の上方にこれと平行に設けられ、メインフレーム１１の両側に装着される側板部１７，１８に挟まれてその上部を装着する上部フレーム１５等を備えて構成されている。なお、上部フレーム１５の上面には、これを取付具等を介して遊技島８０の基台等に取り付けるためのネジ穴部１６が設けられている。
【００２０】
図３（ｂ）に示すようにメインフレーム１１は、その上部に搬送チェーン５を案内する搬送レール１２が設けられている。この搬送レール１２は、断面形状が上部を開放した略Ｃ字状であって、直線状に短く形成されている。また、この搬送レール１２の下方には、上部の搬送レール１２と上下方向に対称に搬送レール１３が同様に設けられている。また、この下方の搬送レール１３の下方側にはこれと対向するように樋状のカバー部１４が形成されている。この樋状のカバー部１４は、搬送チェーン５に備えられて、紙幣を搬送する搬送部材３５を外側から覆うものである。また、このメインフレーム１１に設けられる上下の搬送レール１２，１３の長さ方向の両端側には、その端部から突出して連結部２５〜２８が設けられている。この連結部２５，２７及び連結部２６，２８は、上下方向にそれぞれ軸心が一致するように設けられ、この軸心に装着される連結軸３０を介して複数のメインフレーム１１を自在に搬送レール１２，１３の幅方向に揺動可能に連結するものである。また、この連結部２５〜２８は、搬送レール１２，１３を案内される搬送チェーン５がその幅方向に湾曲可能な曲率に沿って搬送レール１２，１３を連結可能なように、搬送レールの両端から突出して設けられている。すなわち、搬送レール１２，１３の両端から突出して連結部２５〜２８を設けることにより、連結される搬送レール１２，１３の端部間に適宜な隙間を設け、その隙間によって搬送レール１２（１３）を図３（ｃ）に示すように所定の角度に傾けて連結することで、それらを搬送チェーン５が幅方向に湾曲可能な曲率に沿って連結するものである。また、図３（ｃ）に示すように、搬送レール１２（１３）の長さ方向の両端に設けられる連結部２５，２６（または２７，２８）のピッチＰは、搬送チェーン５を構成する後述のリンク部４０の全長Ｌより若干長く構成されている。これにより、搬送レール１２，１３が湾曲形状に連結される場合、そのつなぎ目による引っ掛かり等を少なくして、搬送チェーン３を連結された搬送レール１２，１３に沿って円滑に搬送することができる。
【００２１】
なお、上部フレーム１５の長さ方向の両端側には、その端部から突出して連結部２３、２４が設けられている。これらの連結部２３，２４は、それぞれが連結部２５，２７及び連結部２６，２８と上下方向に軸心が一致するように設けられ、この軸心に装着される連結軸３０を介して複数の湾曲通路ブロック２１を自在に搬送レール１２、１３の幅方向に揺動可能に連結するものである。
【００２２】
また、メインフレーム１１の両側に装着される側板部１７，１８は、図３（ａ）に示すように、その内側に搬送レール１２，１３に沿って延設される複数の突条部１９，２０が設けられている。この突条部１９，２０は、搬送レール１２，１３に案内される搬送チェーン３の搬送部材３５に設けられる後述の作用部３６と隙間を介して噛み合うように配置されている（図２（ｃ）参照）。すなわち、この側板部１７，１８の内側には、紙幣を搬送する紙幣通路３１が形成され、この紙幣通路３１を搬送される紙幣１０は、側板部１７，１８の突条部１９，２０により、搬送チェーン５の搬送部材３５に適宜に押圧され、紙幣通路３１に沿って安定に搬送される。
【００２３】
図４は搬送レール１２，１３に案内される搬送チェーン５を示す斜視図である。搬送チェーン５は、図に示すように一対のリンクプレート４１を結合して双胴船型に形成されるリンク４２と、このリンク４２の上方に搬送部材３５を設けた搬送リンク４３とを交互に連結して構成される。このリンク４２、及び搬送リンク４３の一方端部にはフック部４４が形成されている。また、他方端部には、一対のリンクプレート４１間に後述の駆動スプロケット６、及び従動スプロケット７と噛み合うブッシュローラー４５が配置され、さらにその両側に案内ローラー４６が配置されて、これらが支軸４７により回転自在に支持されている。そして、隣り合うリンク１２と搬送リンク４３がそれぞれのフック部４４と支軸４７とを係合させてループ状に連結されている。なお、前後両端に案内ローラー４６を備えるリンク部４０の全長Ｌは、搬送レール１２，１３の両端に設けられる連結部２５，２６（または２７，２８）のピッチＰより短く形成されている。
【００２４】
搬送リンク４３の上部に設けられる搬送部材３５は、両側に作用部３６を備えて略Ｈ字状に形成されている。搬送部材３５の両側に設けられる作用部３６は、紙幣通路３１を搬送される紙幣１０と当接して摩擦力を生じるウレタンゴム等の摩擦部材からなり、その中央部にリンクプレート４２と平行に形成される溝部３７は、側板部１７，１８に形成される突条部１９，２０と対向し、これらと隙間を介して噛み合うように構成されている。このような構成により、紙幣通路３１を搬送される紙幣１０が、この作用部３６と突条部１９，２０に挟み込まれて波形に変形し、作用部３６に押圧されることでそれにより生じる摩擦力を安定させて、紙幣１０の搬送を確実に行うことができる。
【００２５】
このように構成される無端状の搬送チェーン５は、例えば、図５に示すように遊技島８０の一方側に設けられた駆動スプロケット６と、これと離間して他方側に配置された一対の従動スプロケット７に巻き掛けられて架設されている。ここで、一対の従動スプロケット７は、スライド自在に設けられた案内部材８に回動自在に取り付けられ、さらにこの案内部材８は無端状の搬送チェーン５の内側に設けられたスプリング９によって他方側に付勢されている。これにより無端状の搬送チェーン５は、これらの駆動スプロケット６と従動スプロケット７の間に緩みなく架設される。そして、その駆動スプロケット６により一方向に循環駆動される。
【００２６】
このように細長いループを形成して紙幣搬送路３内に張設される無端状の搬送チェーン５は、その上側の部分と下側の部分がそれぞれメインフレーム１１に設けられる上下２箇所の搬送レール１２，１３によって支持、案内され、遊技島８０を成す遊技機７５列に沿うようにその幅方向に湾曲して施設される。また、この搬送チェーン３は、各々のリンク４２、及び搬送リンク４３の案内ローラー４６がメインにフレーム１１の搬送レール１２，１３の各辺内面によって案内され、それが転動することにより搬送レール１２，１３内を円滑に走行する。
【００２７】
このような紙葉類搬送装置１を備える遊技島８０において、遊技媒体貸出機７０の紙幣挿入口７１に挿入された紙幣は、その内部に設けられた図示しない紙幣識別機により真贋等が識別され、適正と判別されたときはその背面側の紙幣導入部５０に送出され、エスクロ（返却可能）状態で一時保留される。そして、パチンコ玉等の遊技媒体が遊技媒体貸出機７０から貸し出されると、紙幣のエスクロ状態が解除され、紙幣導入部５０に一時保留された紙幣は、遊技機７５列に沿ってその背面側に湾曲形状に延設された紙幣搬送路３の紙幣通路３１に取り込まれる。さらに紙幣通路３１に取り込まれた紙幣１０は、搬送部材３５により遊技機７５列の一方端に向けて搬送され、その端部に設けられた両替機等の紙幣収納部７６に収納される。このようにして、遊技場において複数並設されたパチンコ台等の遊技機７５の間に配設される複数のパチンコ玉等の遊技媒体貸出機７０に投入された紙幣を、略Ｓ字状に湾曲して配設された遊戯機７５列の背面に沿って回収し、その一側端に設けられた両替機等の紙幣収納部７６へその紙幣を搬送、収納する。
【００２８】
以上のように、本発明の紙葉類搬送装置1においては、メインフレーム１１は搬送レール１２，１３に沿って短形に形成され、搬送レール１２，１３の幅方向中心上にその両端から突出する連結部２５〜２８を有し、連結部２５〜２８により複数のメインフレーム１１を搬送レール１２，１３の幅方向に揺動自在に連結することによって、メインフレーム１１を連結部２５〜２８により搬送レール１２，１３の幅方向に傾けて連結し、搬送レール１２，１３を自在に湾曲して施設することができるから、紙幣搬送路３をパチンコ台等の遊技機７５の配列状況に応じて容易に湾曲可能な紙葉類搬送装置１を提供することができる。
【００２９】
また、搬送レール１２，１３をその両端間に所定の隙間を設けて連結することで、搬送チェーン５が搬送レール１２，１３の幅方向に湾曲可能な曲率に沿って、搬送レール１２，１３を連結可能にしたことにより、簡易な構成により搬送レール１２，１３を搬送チェーン５が湾曲可能な曲率に沿って連結することができるから、紙幣搬送路３を搬送チェーン５が容易に走行可能な曲率で湾曲することができる紙葉類搬送装置を提供することができる。
【００３０】
また、搬送レール１３，１４の両端から突出する連結部２５〜２８の連結ピッチは、搬送チェーン５を構成するリンク部４０の全長より長く設定されたことにより、メインフレーム１１を連結部２５〜２８により搬送レール１２，１３の幅方向に傾けて連結する場合も、搬送チェーン５をメインフレーム１１の搬送レール１２，１３に沿って容易に搬送することができるから、搬送チェーンの走行不良を減少させ信頼性を向上させた紙葉類搬送装置を提供することができる。
【００３１】
また、側板部１７，１８は、メインフレーム１１の各々に対応してその一方側、又は両側に着脱自在に設けられたものであるから、湾曲して施設される搬送レール１２，１３に沿って紙幣通路３１を幅狭に形成するとともに、その紙幣通路３１を開放することができるから、紙幣搬送路３を狭小の遊技機列の背面に沿って配置し易くするとともに、紙葉類の詰まり等を容易に解消することができる保守管理が容易な紙葉類搬送装置を提供することができる。
【００３２】
また、メインフレーム１１は、搬送レール１２，１３を上下２箇所に並列に備えることによって、無端状に構成される搬送チェーン５の往動部及び復動部をそれぞれメインフレーム１１の上下の搬送レール１２，１３に組み込んだ状態で、搬送レール１２，１３を自在に湾曲して施設することができるから、紙葉類の搬送路をパチンコ台等の遊技機の配列状況に応じて施工する作業が容易な紙葉類搬送装置を提供することができる。
すなわち、本発明により多様な遊技機の配列状況に対応可能で、施設が容易な紙葉類搬送装置を提供する。
【００３３】
なお、本発明は、言うまでもなく本実施の形態に示す装置にのみ限定されず、その趣旨の包含する範囲で応用変更が可能である。例えば、湾曲通路ブロック２１を構成するメインフレーム１１、側板部１７，１８、上部フレーム１５、あるいは搬送チェーン５を構成する搬送部材３５、リンク部４０等の配置構成、形状等は、個々の紙葉類搬送装置の仕様等に応じて適宜に設定され、本実施の形態に限定されるものではない。
【符号の説明】
【００３４】
１  紙葉類搬送装置
３  紙幣搬送路（搬送路）
５  搬送チェーン
１１  メインフレーム（フレーム部）
１２  搬送レール（レール部）
１３  搬送レール（レール部）
１５  上部フレーム
１７  側板部
１８  側板部
２１  湾曲通路ブロック
２５  連結部
２６  連結部
２７  連結部
２８  連結部
３０  連結軸
３１  紙幣通路
３５  搬送部材
３６  作用部
４０  リンク部
４２  リンク
４３  搬送リンク
４５  ブッシュローラー
７６  紙幣収納部
８０  遊技島
【図１】
2013043722.tif 000003
【図２】
2013043722.tif 000004
【図３】
2013043722.tif 000005
【図４】
2013043722.tif 000006
【図５】
2013043722.tif 000007